(57)【要約】【課題】  写実性に富み、リアル感に溢れ、重量感、質感も良好なものとし、また飾り果実との結合一体化によって取り扱いも容易であるようにする。【解決手段】  供え餅の外形を呈し、着脱自在な蓋部材１０によって底部を開閉させる中空な容器本体１と、この容器本体１の上部に載置した飾り果実体２０と、飾り果実体２０の上部に係止して上下方向に沿って飾り果実体２０に挿通した連結ピン材３１下端に容器本体１内方から雄ネジ部材３４をネジ入れる固定手段３０とから成る。固定手段３０は、飾り果実体２０上面に係止する葉部２２を有し、飾り果実体２０内に上下方向に沿って挿通した連結ピン材３１と、この連結ピン材３１下端に容器本体１内方からネジ入れられる雄ネジ部材３４とから成る。連結ピン材３１は飾り果実体２０上部の連結挿入孔２１から飾り果実体２０底部の連繋孔２２内に挿入位置決めしてある。【選択図】      図１
2006255239.tif 000002
【特許請求の範囲】
【請求項１】
供え餅の外形を呈し、着脱自在な蓋部材によって底部が開閉される中空な容器本体と、この容器本体の上部に載置される飾り果実体と、飾り果実体の上部に係止して上下方向に沿って飾り果実体に挿通した連結ピン材下端に容器本体内方から雄ネジ部材をネジ入れる固定手段とから成ることを特徴とする模擬果実一体式の飾り餅容器。
【請求項２】
容器本体は、飾り果実体を固定させる固定連結部を上部に有しており、この固定連結部は、飾り果実体を連結固定させるためのネジ止め孔と、位置を合わせて嵌め合わせる嵌合孔とから成る請求項１に記載の模擬果実一体式の飾り餅容器。
【請求項３】
飾り果実体は、果実体の外形を呈し、固定手段における連結ピン材を上下に挿通させるよう、上部に連結挿入孔が、底部に連繋孔が夫々開穿されていると共に、容器本体の嵌合孔に嵌め入れられる位置決め突部を有して成る請求項１または２に記載の模擬果実一体式の飾り餅容器。
【請求項４】
固定手段は、飾り果実体の上部に係止して上下方向に沿って挿通した連結ピン材と、この連結ピン材下端に容器本体内方からネジ入れられる雄ネジ部材とから成る請求項１乃至３のいずれかに記載の模擬果実一体式の飾り餅容器。
【請求項５】
固定手段における連結ピン材は、飾り果実体に挿入したとき飾り果実体の上部外面に係止する葉部を分岐形成すると共に、飾り果実体上部の連結挿入孔から挿入され、飾り果実体底部の連繋孔内に位置決めされて嵌り込み、容器本体のネジ止め孔に臨まされた状態で、容器本体底部側から雄ネジ部材が下端内にネジ入れるようになっている請求項１乃至４のいずれかに記載の模擬果実一体式の飾り餅容器。
【発明の詳細な説明】
【技術分野】
【０００１】
本発明は例えば正月、祝い事その他の祭事に際し飾り付けられるお供え餅として使用され、供え餅を呈する容器本体の上部に飾り用の蜜柑の如き飾り果実を模した模擬果実が一体的に連結された模擬果実一体式の飾り餅容器に関する。
【背景技術】
【０００２】
従来から正月や祝い事等に際し、飾り重ね餅が用いられており、その飾りには大小の円形状のお供え餅を２段に重ね、その上に蜜柑等の果実を飾りに置いている。その飾りのための果実代用品として例えば特許第３０１０２８６号に係る飾り果実が提案されており、これは合成樹脂製の中空な果実本体の頂部に挿入孔を設けておき、蔕状の挿入規制部を有する柄をその上側の摘持部によって摘んで挿入孔に挿入したもので、挿入規制部によって挿入孔内への必要以上の挿入が規制され、あたかも実際の飾り果実様の趣を呈するようになる。
【０００３】
また特開２００４−３４５３５号公報に係る飾り用模擬果実及びその製造方法が提案されており、これは底部に開口がある凹所を備えた中実状の飾り果実本体と、凹所の開口を強制的に閉塞する有底筒状の蓋部材と、飾り果実本体の頂部に突設形成した連繋突体に被せられる柄体とを備えて成り、また底部に開口がある凹所を備えた中実状の飾り果実本体を射出成形によって形成する一方、凹所内に嵌め入れられるよう射出成形によって形成した有底筒状の蓋部材を熱収縮前の飾り果実本体の凹所内に強制的に嵌め入れ、また、飾り果実本体の頂部に突設形成した連繋突体に柄体を被せることで製造するとする。
【０００４】
一方、特許第２９３４８７３号としてプラスチック製の重ね餅形状の容器に飾り用の重ね果実を接着した飾り重ね餅が提案されている。これは容器の上部に手で引き剥がす際に略全ての接着剤が重ね果実と共に剥離され、重ね餅の表面が滑面となるよう容器と接着剤の素材が設定されているとする。
【０００５】
また同様に特許第２９６１１４１号として提案された飾り重ね餅は、プラスチック製の重ね餅形状の容器内に餅を詰入すると共に、ミカンを表現したプラスチック製の重ね果実を重ね餅の上部に重ねておき、一部が重ね餅に当接するプラスチック製の透視できるカバー体を重ね果実に着脱自在に被せ、更に箱体内に収納して成る。
【０００６】
更に同様に特許第３３６９５２２号として提案された飾り重ね餅は、餅を収納したプラスチック製の重ね餅形状に形成した容器の下部開口部を貼着したフィルムにて閉塞し、三方を模した台部材に係止させるとし、容器上に置かれる重ね果実を、容器の上部及び重ね果実全体を被嵌状態でカバー体によって覆うものとして成る。
【特許文献１】特許第３０１０２８６号公報
【特許文献２】特開２００４−３４５３５号公報
【特許文献３】特許第２９３４８７３号公報
【特許文献４】特許第２９６１１４１号公報
【特許文献５】特許第３３６９５２２号公報
【発明の開示】
【発明が解決しようとする課題】
【０００７】
ただこれらの従来提案の飾り果実は、特許文献１によれば実際上はブロー成形によって果実本体を形成するために内部が中空で、軽量に形成されるから重量感がなく、見た目にも質感が乏しくなる。そればかりでなく、ブロー成形特有の金型の合わせ面で生じるいわゆるバリのために若干の不体裁な感じがあり、またそのバリが取り扱う者の手指等を傷つけることもあり、危険なものであった。しかも果実本体自体は中空であるために外部からの外力、衝撃等によっては部分的に凹むような潰れが生じることもあり、軽量であるが故にお供え餅等の上に置いた飾り時に簡単に落下してしまうこともあった。更には柄自体は果実本体の挿入孔に挿入するに際し、必要以上の挿入は挿入規制部によって阻止はされても、挿入後の柄の握持部を摘んで取り扱う場合に、柄を強く引いたときには果実本体から抜けることもあった。また特許文献２によれば、基本的にはインジェクション成形によって構成するから特許文献１におけるような欠点は解消できても、果実本体、蓋部材等を形成する成形材料がやや多くなり、僅かでも若干割高になるものであった。
【０００８】
一方、特許文献３乃至５による餅収納用容器と重ね果実とが一体性となる飾り重ね餅は、接着剤使用の特許文献３では一体性と剥離性とのバランスを微妙に設定するホットメルト接着剤を選定するにつき難点がある。また特許文献４では例えば陳列時で多数段に重ねたとき、ブロー成形による重ね果実の脆弱性による破損を防止可能であるも、これは箱体を使用して多段陳列形態とするから、容積的に嵩張る箱体を使用しないでランダムな状態で陳列販売する場合には不適当である。特許文献５では透明カバー体で覆うことでミカン付の重ね餅のように見える見栄えがよい商品性に秀れたものとなるとするも、カバー体の重ね餅に対する覆い作業が必要となって手間がかかり、カバー体の存在によって商品体裁がかえって悪いものとなる。
【０００９】
そこで本発明は叙上のような従来存した諸事情に鑑み創出されたもので、写実性に富むようリアル感に溢れ、重量感、質感も良好なものとし、重ね餅状を呈する容器本体と飾り用の飾り果実体との強固な一体性のもとで一層の写実性に富んだものとし、また成形時におけるバリ等の発生も少なく、外部からの外力、衝撃等によっても凹むこともなく、保形性に優れると共に、成形材料が少なくて済み、取り扱いも容易である模擬果実一体式の飾り餅容器を提供することを目的とする。
【課題を解決するための手段】
【００１０】
上述した課題を解決するため、本発明にあっては、供え餅の外形を呈し、着脱自在な蓋部材１０によって底部が開閉される中空な容器本体１と、この容器本体１の上部に載置される飾り果実体２０と、飾り果実体２０の上部に係止して上下方向に沿って飾り果実体２０に挿通した連結ピン材３１下端に容器本体１内方から雄ネジ部材３４をネジ入れる固定手段３０とから成る。
容器本体１は、飾り果実体２０を固定させる固定連結部３を上部に有しており、この固定連結部３は、飾り果実体２０を連結固定させるためのネジ止め孔４と、位置を合わせて嵌め合わせる嵌合孔５とから成る。
飾り果実体２０は、果実体の外形を呈し、固定手段３０における連結ピン材３１を上下に挿通させるよう、上部に連結挿入孔２１が、底部に連繋孔２２が夫々開穿されていると共に、容器本体１の嵌合孔５に嵌め入れられる位置決め突部２４を有して成る。
固定手段３０は、飾り果実体２０の上部に係止して上下方向に沿って挿通した連結ピン材３１と、この連結ピン材３１下端に容器本体１内方からネジ入れられる雄ネジ部材３４とから成る。より具体的には、固定手段３０における連結ピン材３１は、飾り果実体２０に挿入したとき飾り果実体２０の上部外面に係止する葉部２１を分岐形成すると共に、飾り果実体２０上部の連結挿入孔２１から挿入され、飾り果実体２０底部の連繋孔２２内に位置決めされて嵌り込み、容器本体１のネジ止め孔４に臨まされた状態で、容器本体１底部側から雄ネジ部材３４が下端内にネジ入れるようになっている。
【００１１】
以上のように構成された本発明に係る模擬果実一体式の飾り餅容器にあって、中空な容器本体１の上部に飾り果実体２０を固定手段３０によって一体的に連結固定させ、容器本体１と飾り果実体２０とが分離、解体されるのを阻止し、またその一体性で取り扱い等を容易にさせる。
飾り果実体２０の位置決め突部２３と容器本体１の嵌合孔５との嵌め合いは、容器本体１上に飾り果実体２０を所定位置で位置決めさせ、固定手段３０による固定に先立ち、容器本体１に対して飾り果実体２０を仮固定させ、固定手段３０によるネジ止め作業等を容易にさせる。
飾り果実体２０の上部における連結挿入孔２１、底部における連繋孔２２夫々に挿入される固定手段３０の連結ピン材３１は、その葉部３２が飾り果実体２０の上部に係止して飾り果実体２０を容器本体１に押し付け、容器本体１と飾り果実体２０との一体性を向上させ、また、外部からの衝撃等に対しての飾り果実体２０内部の補強をも向上させる。
容器本体１の内方から連結ピン材３１下端にネジ入れられる雄ネジ部材３４は、容器本体１上部で嵌合孔５、位置決め突部２４相互の嵌め合い、連結ピン材３１による飾り果実体２０の容器本体１に対する押し付け等の状態にある容器本体１と飾り果実体２０とを確実に一体化し、外部からの衝撃、振動等によっても両者を分離させない。
容器本体１の底部における着脱自在な蓋部材１０は、中空な容器本体１内に収納の餅材Ｒ、ミカン等を取り出させ、また閉塞して収納保管させる。
【発明の効果】
【００１２】
本発明は以上のように構成されているため、供え餅状を呈する容器本体１上に写実性に富むようリアル感に溢れ、重量感、質感も良好な飾り果実体２０を固定手段３０によって一体状に固定連結することができる。すなわち、重ね餅状を呈する容器本体１と飾り用の飾り果実体２０との強固な一体性のもとで一層の写実性に富んだものとし、また成形時におけるバリ等の発生も少なく、外部からの外力、衝撃等によっても凹むこともなく、保形性に優れると共に、成形材料が少なくて済み、取り扱いも容易である模擬果実一体式の飾り餅容器とすることができる。
【００１３】
これはすなわち、本発明において、供え餅の外形を呈し、着脱自在な蓋部材１０によって底部が開閉される中空な容器本体１と、この容器本体１の上部に載置される飾り果実体２０と、飾り果実体２０の上部に係止して上下方向に沿って飾り果実体２０に挿通した連結ピン材３１下端に容器本体１内方から雄ネジ部材３４をネジ入れる固定手段３０とから成るものとしたからであり、容器本体１と飾り果実体２０との一体性で取り扱い、堅牢性等を一層向上できる。
【００１４】
また、容器本体１は、飾り果実体２０を固定させる固定連結部３を上部に有しており、この固定連結部３には、飾り果実体２０の位置決め突部２４を嵌め合わせる嵌合孔５を有しているから、容器本体１上に飾り果実体２０を所定位置で位置決めさせることができ、固定手段３０によるネジ止め固定に先立ち、容器本体１に対して飾り果実体２０を仮固定させることで、固定手段３０によるネジ止め作業等を容易に遂行させることができる。
【００１５】
飾り果実体２０は、固定手段３０における連結ピン材３１を上下に挿通させる連結挿入孔２１、連繋孔２２が上部、底部夫々に開穿されていて、これらの連結挿入孔２１、連繋孔２２に挿通される連結ピン材３１が、その葉部３２によって飾り果実体２０を容器本体１上に押し付けるものとなるから、連結ピン材３１下端に容器本体１内方からネジ入れられる雄ネジ部材３４によって、容器本体１に飾り果実体２０を確実に固定連結することができる。そして、この固定連結による一体化で、取り扱いを容易にし、例えば販売陳列時における乱雑な取り扱い等によっても両者は分離、解体されず、円滑に作業を行うことができる。
【００１６】
そればかりでなく、飾り果実体２０内にはその上下方向に沿って連結ピン材３１が内装式に挿入配置されたものとなるから、飾り果実体２０に対する外部からの衝撃等によっても容易に圧潰されない堅牢性を備えたものとなる副次的効果もある。
【００１７】
また、容器本体１の底部には着脱自在な蓋部材１０が設けられているから、容器本体１内に収納した餅材Ｒ、ミカン等の各種の収納品を容易に取り出すことができると共に、その収納保管を容易にさせることができる。
【００１８】
更に、容器本体１上に載置される飾り果実体２０に挿入する連結ピン材３１には、葉部３２が設けてあるから、模擬果実の一層の写実性を富ましめるものとなり、例えば供え餅外形を呈する容器本体１の頂部に置いても何らの遜色もなく、実際の果実が置かれた印象を与える。
【００１９】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００２０】
以下図面を参照して本発明を実施するための最良の一形態を説明すると、図において示される符号１は例えば乳白色を呈する合成樹脂にて形成された中空状の容器本体であり、この容器本体１は内部に所定量の例えば切り餅状の餅材Ｒ、ミカン等を封入させるに足りる容積で、大小の供え餅を上下２段に重ねた状態の外形を呈するように例えばブロー成形等の所定の成形方法によって形成されている。容器本体１自体は、底部に後述する着脱自在な蓋部材１０によって開閉される開口部２を備え、上部に後述する飾り果実体２０をネジ止めするための固定手段３０を介して固定させる固定連結部３を有している。
【００２１】
開口部２は、容器本体１内に餅材Ｒ、ミカン等を封入した状態で蓋部材１０によって閉塞され、円形、矩形等の所定形状で開口されている。
【００２２】
固定連結部３は、飾り果実体２０を連結固定させるためのネジ止め孔４と、位置を合わせて嵌め合わせる嵌合孔５とから成り、ネジ止め孔４は容器本体１の上部のほぼ中央位置に開穿され、嵌合孔５はネジ止め孔４の周縁部位に位置させて開穿配置してある。図示にあって嵌合孔５は、容器本体１を正面から見てネジ止め孔４の左右に位置させて対状に配置されているも、ネジ止め孔４の前後に配置させてもよく、嵌合孔５によるネジ止めと共に嵌合孔５によって飾り果実体２０を嵌め合わせることで、容器本体１に対する飾り果実体２０の位置を一定化させることができる。
【００２３】
一方、蓋部材１０は、開口部２の内周縁に嵌め入れられる扁平な有底筒状の蓋本体部分の開口縁に、開口部２の外側面周縁部分に当接する鍔状の当接フランジ部１１を形成したもので、好ましくは蓋本体部分で開口部２にやや強制的に嵌め入れられ、当接フランジ部１１を摘むことで、容器本体１から取り外すことができ、開放できるようにしてある。
【００２４】
また、飾り果実体２０は、外形がお供え餅の飾りとなるように例えばミカン形状を呈するものとして中空状に例えばブロー成形によって合成樹脂にて形成されており、固定手段３０を介して容器本体１に固定連結される。すなわち、この飾り果実体２０は、果実体の外形を呈し、固定手段３０における連結ピン材３１を上下に挿通させるよう、上部に連結挿入孔２１が、底部に連繋孔２２が夫々開穿されていると共に、容器本体１の嵌合孔５に嵌め入れられる位置決め突部２４を有して成る。
【００２５】
この飾り果実体２０において、飾り果実本体２１は実際上の例えばミカン表面における細かい凹凸模様が付されて、表面はミカン色を呈するように着色されており、必要に応じて例えば頂部及びその近傍等が部分的に緑色が付されることもある。また成型時に生じ得る金型ラインのバリ等は例えば切削等によって除去されている。
【００２６】
固定手段３０は、飾り果実体２０の上部に係止して上下方向に沿って挿通した連結ピン材３１と、この連結ピン材３１下端に容器本体１内方からネジ入れられる雄ネジ部材３４とから成る。連結ピン材３１は、飾り果実本体２１の上部から底部外面に至るまで挿入され、飾り果実本体２１の上方に位置される葉部３２を上部に備えた中空筒状に形成されている。
【００２７】
この連結ピン材３１における葉部３２は、連結ピン材３１を飾り果実体２０に挿入したとき飾り果実体２０の上部外面に係止し、飾り果実体２０全体を容器本体１側に押し付けるようになっている。そのため、葉部３２自体は、飾り果実本体２１の上方に適当な間隔を隔てた位置となるように連結ピン材３１の上部から分岐して一体状に伸ばされており、その分岐部位には実際上の蔕に相当する扁平状あるいは山裾状に拡がる蔕部３３を一体状に付設形成することもあり、更にこの蔕部３３は飾り飾り果実本体２１における連結挿入孔２１の周縁部分に飾り果実本体１と一体状にして形成することも可能である。この連結ピン材３１自体は、実際上の柄、葉更には蔕等を模したように例えば緑色を呈する合成樹脂材にて一体に形成されている。また、蔕部３３によって、連結挿入孔２１を隠蔽し、体裁を良好なものとすることができる。
【００２８】
雄ネジ部材３４は、連結ピン材３１が飾り果実体２０の上下方向で挿入されて容器本体１の固定連結部３におけるネジ止め孔４に位置された状態で、容器本体１内方から連結ピン材３１端にネジ入れられるようにしてある。すなわち、連結ピン材３１が飾り果実体２０にその上部の連結挿入孔２１から挿入され、更に飾り果実体２０の底部の連繋孔２２内に位置決めされて嵌り込み、連結ピン材３１下端が容器本体１のネジ止め孔４に臨まされた状態で、容器本体１底部側から連結ピン材３１下端内に雄ネジ部材３４をネジ入れることによって容器本体１に飾り果実体２０を連結固定するようになっている。
【００２９】
次にこれの組立の一例を説明すると、飾り果実体２０の連結挿入孔に２２に飾り果実体２０外方から連結ピン材３１を挿入する一方、飾り果実体２０自体を、その位置決め突部２４を容器本体１の嵌合孔５に嵌め入れることで容器本体１の上部に位置決めする。このとき飾り果実体２０に挿入した連結ピン材３１下端は連繋孔２２内から飾り果実体２０外に位置する容器本体１のネジ止め孔４に臨ませられ、容器本体１上面に当接している。次いで、容器本体１の底部側から開口部２を経て雄ネジ部材３４を容器本体１のネジ止め孔４を貫挿して連結ピン材２５の下端にネジ入れる。こうすることで容器本体１に飾り果実体２０を連結固定し、その後、容器本体１内に餅材Ｒを、更には場合によってはミカン等をも開口部２から収納し、蓋部材１０によって閉塞することで商品とし、適宜な包装によって販売する。
【００３０】
使用に際し、通常のお供え餅として飾り、また蓋部材１０の取り外しによる容器本体１の開放で、収納してある餅材Ｒ等を取り出し、供食すればよい。
【図面の簡単な説明】
【００３１】
【図１】本発明を実施するための最良の形態を示す一部切欠の分解斜視図である。
【図２】同じく使用状態における断面図である。
【図３】同じく要部の分解拡大断面図である。
【符号の説明】
【００３２】
Ｒ…餅材
１…容器本体                            ２…開口部
３…固定連結部                          ４…ネジ止め孔
５…嵌合孔
１０…蓋部材                            １１…当接フランジ部
２０…飾り果実体                        ２１…連結挿入孔
２２…連繋孔                            ２３…位置決め突部
３０…固定手段                          ３１…連結ピン材
３２…葉部                              ３３…蔕部
３４…雄ネジ部材
【図１】
2006255239.tif 000003
【図２】
2006255239.tif 000004
【図３】
2006255239.tif 000005